(57)【要約】【課題】患者に関する情報をパソコンＰにより管理している病院内で、パソコンＰを積載したカートを用いる場合、看護師は立ったままで行動しなければならず、採取データの電子データ入力も立ったままで行わなければならない。回診後帰って来たナースステーションで、備え付けの椅子を動かして来てそこに座ってカート上のパソコンＰを操作しなければならない。したがって、非常に面倒であり、また、場所を取る。このような課題を解決する。【解決手段】カートＣにスツールＳを備え付ける。このようにすることにより、極めて簡単に上記課題を解決することができる。このカートＣを用いた場合には、必要に応じてスツールＳを取り出してそこに座ることができるので、カートＣのパソコン台３上に置いたパソコンＰを操作する場合にも非常に便利である。【選択図】図２
2008272140.tif 000002
【特許請求の範囲】
【請求項１】
キャスタ付きのカート本体上にパソコン台を有するカートにおいて、前記カート本体にスツールが備えられていることを特徴とするカート。
【請求項２】
スツールをカート本体に対して取り出し・収納可能としてなることを特徴とする請求項１記載のカート。
【請求項３】
スツールをカート本体に対して取り付け・取り外し自在としてなることを特徴とする請求項１または２記載のカート。
【請求項４】
カート本体に、聴診器・体温計・血圧計・心電図測定装置・注射器などの医療器具、包帯・ガーゼ・医療用テープなどの医療用品、点滴用薬液・消毒液などの薬品、その他必要なものを収納することができるバットが備えられていることを特徴とする請求項１〜３のいずれかに記載のカート。
【発明の詳細な説明】
【技術分野】
【０００１】
本発明は、患者に関する情報をパソコン（パーソナルコンピュータ、以下、同じ）により管理している病院内で使用すると好適なキャスタ付きカートに関するものである。
【背景技術】
【０００２】
例えば、入院施設のある病院において、看護師が入院患者の回診や体温などのデータ採取を行う場合には、通常、聴診器・体温計・血圧計・心電図測定装置・注射器などの医療器具、包帯・ガーゼ・医療用テープなどの医療用品、点滴用薬液・消毒液などの薬品、その他必要なものを搭載したキャスタ付きのカートを携行して病院内を移動する。
【０００３】
ところが、近年の情報技術の進展に伴って入院設備のある病院では、入院患者に関する情報をパソコン上のデータとして管理するところが激増しており、回診やデータ採取時にはノート型に代表されるパソコンが使われるようになった。すなわち、回診やデータ採取時にこのパソコンを前記カートに積載しておき、カルテの電子データ、あるいは、採取データの電子データをパソコンにより入力・処理している。
【０００４】
このように、パソコンを積載したカートを用いる場合、看護師は立ったままで行動し、採取データの電子データ入力も立ったままで行うのが普通である。
【０００５】
一方、ノート型に代表されるパソコンを積載することができるカートもすでに提案されている（例えば、特許文献１参照）。
【０００６】
【特許文献１】特開２００５−４６４１２号公報
【発明の開示】
【発明が解決しようとする課題】
【０００７】
特許文献１で提案されているカートでも、看護師はやはり立ったままで行動しなければならず、採取データの電子データ入力も立ったままで行わなければならない。しかも、このようなカートを用いた場合には、回診後帰って来たナースステーションで、備え付けの椅子を動かして来てそこに座ってカート上のパソコンを操作しなければならない。したがって、非常に面倒であり、また、場所を取ることになる。
【課題を解決するための手段】
【０００８】
このような課題を解決するためには、カートＣにスツールＳを備え付ければよい。このようにすることにより、極めて簡単に上記課題を解決することができる。すなわち、本発明は、キャスタ２付きのカート本体１上にパソコン台３を有するカートにおいて、前記カート本体１にスツールＳが備えられていることを特徴とするものである。
このカートＣを用いた場合には、必要に応じてスツールＳを取り出してそこに座ることができるので、カートＣのパソコン台３上に置いたパソコンＰを操作する場合にも非常に便利である。
【０００９】
スツールＳをカート本体１に対して取り出し・収納可能としておくとよい。このようにした場合には、スツールＳを使わない時には邪魔にならない。
【００１０】
スツールＳをカート本体１に対して取り付け・取り外し自在としておくとよい。このようにした場合には、スツールＳが必要な場合にのみスツールＳを備えたカートになり、それ以外の場合にはスツールＳを備えていないカートとして使用できる。
【００１１】
カート本体１に、聴診器・体温計・血圧計・心電図測定装置・注射器などの医療器具、包帯・ガーゼ・医療用テープなどの医療用品、点滴用薬液・消毒液などの薬品、その他必要なものを収納することができるバット１０が備えられていることが望ましい。このようにした場合には、病院で使用することができるカート本来の機能を備えたものとすることができる。
【発明の効果】
【００１２】
請求項１記載のカートを用いた場合には、必要に応じてスツールＳを取り出してそこに座ることができるので、カートＣのパソコン台３上に置いたパソコンＰを操作する場合にも非常に便利である。
【００１３】
請求項２記載の発明によれば、スツールＳを使わない時には邪魔にならないという利点を有する。
【００１４】
請求項３記載の発明によれば、スツールＳが必要な場合にのみスツールＳを備えたカートになり、それ以外の場合にはスツールＳを備えていないカートとして使用できる。
【００１５】
請求項４記載の発明によれば、病院で使用することができるカート本来の機能を備えたものとすることができる。
【発明を実施するための最良の形態】
【００１６】
本発明を実施するための最良の形態について、図面を参照しながら詳細に説明する。ここに例示するカートＣは、図１、図２、図３および図４に示すように、いずれもカート本体１の下端にキャスタ２が取り付けられており、移動自在である。キャスタ２を３個以上取り付ければ、カートＣを少なくとも移動自在とすることができる。キャスタ２に静音キャスタを用いれば、カートＣを静かに移動させることができる。必要に応じて、ブレーキ付きのキャスタとすればよい。
【００１７】
前記カート本体１上にはパソコン台３が備えられており、図２、図４に示すように、このパソコン台３上にノート型に代表されるパソコンＰを載置することができる。したがって、キャスタ２付きのこのカートＣを携行して病院内を移動することができ、回診やデータ採取時にはカルテの電子データ、あるいは、採取データの電子データをこのパソコンＰにより入力・処理することができる。
【００１８】
このカート本体１にはスツールＳが備えられている。この点が従来のカートには全く見られない特徴である。このカートＣを用いた場合には、図１(a)、図２(a)および図３(a)に示すように、必要に応じてスツールＳを取り出すことができ、例えば図４に示すようにそこに座ることができるので、カートＣのパソコン台３上に置いたパソコンＰを操作する場合にも非常に便利である。
【００１９】
ここには、スツールＳをカート本体１に対して取り出し・収納可能とした場合が例示されている。このようにした場合には、図１(b)、図２(b)および図３(b)に示すように、スツールＳをカート本体１内に収納することができるので、スツールＳを使わない時には邪魔にならない。図１には、３つの回転軸４，５，６によりスツールＳをカート本体１に折り畳み自在に取り付け、スツールＳをカート本体１に対して取り出し・収納可能とした場合を示す。また、図２には、スライドレール７によりスツールＳをカート本体１に対して取り出し・収納可能とした場合を示す。なお、図２に示す場合には、スツールＳの前後左右にもキャスタ２がそれぞれ取り付けられていて、スツールＳをカート本体１からスムーズかつ軽く取り出すことができるようにしてある。
【００２０】
そして、図１(a)、図２(a)に示すようにスツールＳとカート本体１とに一対の固定金具８，８を取り付けておけば、図１(b)、図２(b)に示すようにスツールＳを収納した状態で固定できる。固定金具８としては、例えば、図５(a)に示すように、ボックス8a内で接離自在のローラ8b，8bでキーパー8cを保持することができるボックスローラ型の固定金具を挙げることができる。また、図５(b)に示すように、磁石8dでキーパー8eを保持することができるマグネット式の固定金具を用いてもよい。さらに、図５(c)に示すように、磁石8fを内装した２枚の吸着板8f，8f間にキーパー8hを差し込み得る形式の押込型マグネット式の固定金具を用いてもよい。いずれの場合にも、スツールＳをカート本体１内に収納した状態で極めて容易に固定できる。
【００２１】
一方、前記スライドレール７としては、例えば、図６に示すようなものを挙げることができる。すなわち、断面Ｕ字状の長尺部材からなる保持部材7aにスライド部材7bをスライド可能に差し込む形式のスライドレールを用いればよい。そして、一対の保持部材7aとスライド部材7bのいずれか一方をスツールＳに、もう一方をカート本体１に取り付けることにより、スツールＳをカート本体１に対して取り出し・収納可能とすることができる。なお、図２(a)では、スライド部材7bをスツールＳ側に、保持部材7aをカート本体１側に取り付けてあるが、両部材7a，7bの取り付け方を逆にしてもよい。
【００２２】
ここには、スツールＳをカート本体１に対して取り付け・取り外し自在とした場合が例示されている。例えば、図３に示すように、カート本体１に筒状のホルダ９，９を取り付けておき、それらにスツールＳの脚杆ｓ，ｓを差し込むことができるようにしておけば、極めて容易にスツールＳをカート本体１に対して取り付け・取り外し自在とすることができる。このようにした場合には、スツールＳが必要な場合にのみスツールＳを備えたカートＣになり、それ以外の場合にはスツールＳを備えていないカートＣとして使用できる。
【００２３】
また、図３に示す機構を用いれば、スツールＳをカート本体１に対して取り出し・収納可能とすることもできる。例えば、図３(a)に示すように、スツールＳの４本の脚杆ｓ，ｓのうち前側２本を、カート本体１の４つの筒状のホルダ９，９のうち後側の２つに差し込めば、スツールＳをカート本体１に対して取り出すことができる。逆に、図３(b)に示すように、スツールＳの４本の脚杆ｓ，ｓを、カート本体１の４つの筒状のホルダ９，９にいずれも差し込めば、スツールＳをカート本体１内に収納できる。
このように、スツールＳの４本の脚杆ｓ，ｓとカート本体１の４つの筒状のホルダ９，９とを利用すれば、スツールＳをカート本体１に対して取り出し・収納可能とし、あるいは、取り付け・取り外し自在とすることができる。
スツールＳの４本の脚杆ｓ，ｓをカート本体１の４つの筒状のホルダ９，９に差し込まないでカート本体１から外してしまえば、スツールＳを全く備えていないカートとすることができる。
【００２４】
ここに示すカートＣには、当該カート本体１にバット１０が備えられている。このバット１０には、病院での回診に最小限必要な、聴診器・体温計・血圧計・心電図測定装置・注射器などの医療器具、包帯・ガーゼ・医療用テープなどの医療用品、点滴用薬液・消毒液などの薬品、その他必要なものを収納することができる。このようなバット１０が備えられていると、病院で使用することができるカート本来の機能を備えたものとすることができる。バット１０の設置数は適宜増減することができる。
【００２５】
なお、ここに示すカートＣには、図１〜４に示すように、いずれもハンドル１１が取り付けられていてそれを持てばカートＣが押しやすくなるのみならず、カートＣを安全に走行させることができる。また、図１、図３および図４に示すように、パソコン台３のそばにはマウス操作台１２が取り外し自在に設けられている。右利きの人と左利きの人のために、パソコン台３へのマウス操作台１２の取り付け位置を変えることができる。
【産業上の利用可能性】
【００２６】
本発明のカートは、患者に関する情報をパソコンにより管理している病院内で使用すると好適なものであるが、例えば、コンビニ、スーパーその他のところで商品出し入れ用に用いることもできる。
【図面の簡単な説明】
【００２７】
【図１】本発明によるカートの一例を示す側面図で、(a)はスツールをカート本体に対して取り出した状態を、(b)はスツールをカート本体内に収納した状態を示す。
【図２】本発明によるカートの別の例を示す側面図で、(a)はスツールをカート本体に対して取り出した状態を、(b)はスツールをカート本体内に収納した状態を示す。
【図３】本発明によるカートのさらに別の例を示す側面図で、(a)はスツールをカート本体に対して取り出した状態を、(b)はスツールをカート本体内に収納した状態を示す。
【図４】図１に示すカートの使用状態の一例を示す側面図である。
【図５】スツールを収納した状態でカート本体に固定するための固定金具の一例を示す斜視図で、(a)はボックスローラ型の固定金具、(b)はマグネット式の固定金具、(c)は押込型マグネット式の固定金具を示す。
【図６】スツールをカート本体に対して取り出し・収納可能とするために用いるスライドレールの一例を示す斜視図で、上側には保持部材に対してスライド部材をスライドさせた状態を、下側には保持部材内にスライド部材を収納した状態を示す。
【符号の説明】
【００２８】
Ｃ…カート、Ｐ…パソコン、Ｓ…スツール、ｓ…脚杆、１…カート本体、２…キャスタ、３…パソコン台、４，５，６…回転軸、７…スライドレール、7a…保持部材、7b…スライド部材、８…固定金具、8a…ボックス、8b…ローラ、8c，8e，8h…キーパー、8d，8f…磁石、９…ホルダ、１０…バット。
【図１】
2008272140.tif 000003
【図２】
2008272140.tif 000004
【図３】
2008272140.tif 000005
【図４】
2008272140.tif 000006
【図５】
2008272140.tif 000007
【図６】
2008272140.tif 000008